(57)【要約】【課題】本発明の課題は、消費電力が低減される液晶表示装置の駆動回路を提供することである。【解決手段】  表示装置の駆動回路は、階調生成回路（１０／１１）と、複数の階調選択駆動回路（６１、６２…６ｎ）とを具備する。階調生成回路（１０／１１）は、表示データを表示装置（７０）に表示するときに階調を与える階調電圧を生成する。複数の階調選択駆動回路（６１、６２…６ｎ）は、前記階調生成回路（１０／１１）から出力される前記階調電圧から前記表示データに対応する電圧を選択して前記表示装置（７０）に供給する。このような階調生成回路（１０／１１）は、表示装置（７０）の１画素分のデータを駆動する時間に対応する１水平期間のうち所定の期間だけ階調電圧を生成し、１水平期間の他の期間は階調電圧を生成しない。【選択図】図６
2006126471.tif 000002
【特許請求の範囲】
【請求項１】
表示データを表示装置に表示するときに階調を与える階調電圧を生成する階調生成回路と、
前記階調生成回路から出力される前記階調電圧から前記表示データに対応する電圧を選択して前記表示装置に供給する複数の階調選択駆動回路と
を具備し、
前記階調生成回路は、前記表示装置の１画素分のデータを駆動する時間に対応する１水平期間のうち所定の期間だけ前記階調電圧を生成し、前記１水平期間の他の期間は前記階調電圧を生成しない
表示装置の駆動回路。
【請求項２】
請求項１に記載の表示装置の駆動回路において、
前記階調生成回路が前記階調電圧を生成する期間を制御するガンマ制御回路をさらに具備し、
前記ガンマ制御回路は、
外部制御回路から入力されて表示を停止させるスタンバイ信号に応答して前記１水平期間を超えて前記階調電圧の生成を停止させるタイミングと、
前記所定の期間のタイミングと
を制御する
表示装置の駆動回路。
【請求項３】
請求項１または請求項２に記載の表示装置の駆動回路において、
前記ガンマ制御回路は、前記複数の階調選択駆動回路が前記表示装置に電圧を供給する前から、前記複数の階調選択駆動回路が前記表示装置に電圧供給を停止した後までを前記所定の期間として、前記階調生成回路に前記階調電圧を生成させる
表示装置の駆動回路。
【請求項４】
請求項１から請求項３のいずれかに記載の表示装置の駆動回路において、
前記階調生成回路は、
基準電源電圧を分圧するために直列に接続される複数の抵抗と、
前記複数の抵抗により分圧された電圧を電力増幅するアンプと、
前記基準電源電圧を供給する基準電源と前記複数の抵抗との間に設けられるスイッチと
を備え、
前記スイッチが開放され、前記アンプの出力端がハイインピーダンスになることにより、前記階調生成回路は前記階調電圧の生成を停止する
表示装置の駆動回路。
【請求項５】
請求項１から請求項４のいずれかに記載の表示装置の駆動回路において、
前記階調生成回路と前記複数の階調選択駆動回路との間に設置され、前記階調生成回路の出力と前記複数の階調選択駆動回路の入力とを電気的に分断する出力スイッチをさらに具備する表示装置の駆動回路。
【請求項６】
請求項５に記載の表示装置の駆動回路において、
前記階調生成回路が前記階調電圧の生成を停止する前に前記出力スイッチが開放され、前記階調生成回路と前記複数の階調選択駆動回路とが電気的に分断され、
前記階調生成回路が前記階調電圧の生成を開始した後に前記出力スイッチが閉成され、前記階調生成回路と前記複数の階調選択駆動回路とが電気的に接続される
表示装置の駆動回路。
【請求項７】
請求項５または請求項６に記載の表示装置の駆動回路において、
前記複数の階調選択駆動回路は、前記表示装置を駆動するバッファを有し、
前記バッファの出力がハイインピーダンス状態になると、前記出力スイッチを開放する
表示装置の駆動回路。
【請求項８】
請求項１から請求項７のいずれかに記載の表示装置の駆動回路において、
前記表示装置の容量性負荷を模擬し、前記複数の階調選択回路のうちの１つにより駆動され、前記容量性負荷の充放電状態を示す出力測定電圧を出力する模擬負荷回路と、
前記出力測定電圧と前記階調電圧とを比較する電圧比較回路と
をさらに具備し、
前記電圧比較回路は、前記出力測定電圧が前記階調電圧に基づいて設定された閾値を越えて充放電されたことを検出して比較結果信号を出力し、
前記階調生成回路は、前記比較結果信号に基づいて前記階調電圧の生成を停止する
表示装置の駆動回路。
【請求項９】
表示データを表示装置に表示するときに階調を与える階調電圧を生成する階調生成回路と、
前記階調生成回路から出力される前記階調電圧から前記表示データに対応する電圧を選択して前記表示装置に供給する複数の階調選択駆動回路と、
前記表示装置の容量性負荷を模擬し、前記複数の階調選択回路のうちの１つにより駆動され、前記容量性負荷の充放電状態を示す出力測定電圧を出力する模擬負荷回路と、
前記出力測定電圧と前記階調電圧とを比較する電圧比較回路と
を具備し、
前記電圧比較回路は、前記出力測定電圧が前記階調電圧に基づいて設定された閾値を越えて充放電されたことを検出して比較結果信号を出力し、
前記階調生成回路は、前記比較結果信号に基づいて前記階調電圧の生成を停止する
表示装置の駆動回路。
【請求項１０】
表示データを表示装置に表示するときに階調を与える階調電圧を生成する階調生成ステップと、
前記階調生成ステップにより生成される前記階調電圧から前記表示データに対応する電圧を選択して前記表示装置に供給する階調選択駆動ステップと
を具備し、
前記階調生成ステップは、前記表示装置の１画素分のデータを駆動する時間に対応する１水平期間のうち所定の期間だけ前記階調電圧を生成し、前記１水平期間の他の期間は前記階調電圧を生成しない
表示装置の駆動方法。
【請求項１１】
請求項１０に記載の表示装置の駆動方法において、
前記階調生成ステップは、
外部制御回路から入力されて表示を停止させるスタンバイ信号に応答して、前記１水平期間を超えて前記階調電圧の生成を停止するスタンバイ停止ステップと、
前記所定の期間だけ前記階調電圧を生成する水平期間内ステップと
を備える
表示装置の駆動方法。
【請求項１２】
請求項１０または請求項１１に記載の表示装置の駆動方法において、
前記階調生成ステップは、前記階調選択駆動ステップが前記表示装置に電圧を供給する前に前記階調電圧を生成し、前記階調選択駆動ステップが前記表示装置に電圧供給を停止した後に前記階調電圧の生成を停止する
表示装置の駆動方法。
【請求項１３】
請求項１０から請求項１２のいずれかに記載の表示装置の駆動方法において、
前記階調選択駆動ステップは、
前記階調電圧が供給されるまで待機するハイインピーダンスステップと、
前記階調電圧が供給されてから前記表示装置に供給する電圧が安定するまで前記表示装置を駆動するアンプ駆動ステップと
を備え、
前記階調生成ステップは、前記アンプ駆動ステップが前記表示装置に電圧供給を停止した後、前記階調電圧の生成を停止する
表示装置の駆動方法。
【請求項１４】
請求項１３に記載の表示装置の駆動方法において、
前記階調選択駆動ステップは、さらに、
前記アンプ駆動ステップにより前記表示装置に供給する供給電圧が安定した後に前記供給電圧を維持するスイッチ駆動ステップを備え、
前記階調生成ステップは、前記スイッチ駆動ステップが前記電圧供給を停止した後、前記階調電圧の生成を停止する
表示装置の駆動方法。
【請求項１５】
請求項１０から請求項１４のいずれかに記載の表示装置の駆動方法において、
前記階調生成ステップは、
基準電源電圧を分圧する分圧ステップと、
前記分圧ステップにより分圧された電圧を電力増幅する増幅ステップと、
前記分圧ステップに供給される前記基準電源電圧の供給を停止する切断ステップと
を備え、
前記切断ステップにより前記基準電源電圧の供給が停止され、前記増幅ステップが電力増幅を停止することにより、前記階調生成ステップは前記階調電圧の生成を停止する
表示装置の駆動方法。
【請求項１６】
請求項１０から請求項１５のいずれかに記載の表示装置の駆動方法において、
さらに出力分断ステップを具備し、
前記出力分断ステップは、前記階調生成ステップが前記階調電圧の生成を停止する前に前記階調生成ステップの出力と前記階調選択駆動ステップの入力とを電気的に分断し、前記階調生成ステップが前記階調電圧の生成を開始した後に前記階調生成ステップの出力と前記階調選択駆動ステップの入力とを電気的に接続する表示装置の駆動方法。
【請求項１７】
請求項１０から請求項１６のいずれかに記載の表示装置の駆動方法において、
前記表示装置の容量性負荷を模擬し、前記階調選択ステップにより駆動され、前記容量性負荷の充放電状態を示す出力測定電圧を出力する模擬負荷ステップと、
前記出力測定電圧と前記階調電圧とを比較する電圧比較ステップと
を具備し、
前記電圧比較ステップは、前記出力測定電圧が前記階調電圧に基づいて設定された閾値を越えて充放電されたことを検出して比較結果を出力し、
前記階調生成ステップは、前記比較結果に基づいて前記階調電圧の生成を停止する
表示装置の駆動方法。
【請求項１８】
表示データを表示装置に表示するときに階調を与える階調電位を生成する階調生成ステップと、
前記階調生成ステップにより生成される前記階調電位から前記表示データに対応する電圧を選択して前記表示装置に供給する階調選択駆動ステップと、
前記表示装置の容量性負荷を模擬し、前記階調選択ステップにより駆動され、前記容量性負荷の充放電状態を示す出力測定電圧を出力する模擬負荷ステップと、
前記出力測定電圧と前記階調電位とを比較する電圧比較ステップと
を具備し、
前記電圧比較ステップは、前記出力測定電圧が前記階調電位に基づいて設定された閾値を越えて充放電されたことを検出して比較結果を出力し、
前記階調生成ステップは、前記比較結果に基づいて前記階調電位の生成を停止する
表示装置の駆動方法。
【発明の詳細な説明】
【技術分野】
【０００１】
本発明は、表示装置の駆動回路および駆動方法に関する。
【背景技術】
【０００２】
近年、表示装置は、液晶表示装置（ＬＣＤ：Ｌｉｑｕｉｄ  Ｃｒｙｓｔａｌ  Ｄｉｓｐｌａｙ）に代表されるフラットパネルディスプレイが主流となってきている。ＬＣＤなどのフラットパネルディスプレイにおいて、その画面は、マトリクス状に配置される画素素子を駆動してデータを表示する。従来のＬＣＤなどを駆動する駆動回路は、水平方向に１ライン単位で画素素子を駆動し、画面を表示させる。
【０００３】
図１に従来のＬＣＤ駆動回路の主要部が示される。ＬＣＤのＴＦＴパネル７０を駆動する主要部は、階調生成回路１１０と、階調選択回路２１、２２…２ｎと、駆動回路３１、３２…３ｎとを備える。ｎは水平方向１ラインの画素素子数を示す。
【０００４】
階調生成回路１１０は、抵抗が直列に接続される抵抗群１２と、基準電圧ＶＨ−ＶＬ間を抵抗群１２により分圧した電圧を電力増幅するアンプ１１４ａ…１１４ｂと、アンプ１１４ａ…１１４ｂの出力電圧を更に分圧するように抵抗が直列に接続される抵抗群１５とを含む。階調生成回路１１０は、基準電圧ＶＨ−ＶＬから階調電圧Ｖ０〜Ｖ６３を生成し、各階調選択回路２１、２２…２ｎに供給する。
【０００５】
階調選択回路２１は、表示されるデータにより選択されるスイッチ群を含む。表示されるデータの階調値に該当するスイッチが閉成し、階調電圧Ｖ０〜Ｖ６３のうち該当する階調電圧が、階調選択回路２１から駆動回路３１に出力される。階調選択回路２２…２ｎは、階調選択回路２１と同じ構成、動作であり、他の画素素子の階調電圧を選択する。
【０００６】
駆動回路３１は、入力される階調電圧でＴＦＴパネル７０の画素素子を駆動する。この駆動信号をＳＲＣ１とする。駆動回路３１は、アンプ３１ａとスイッチ３１ｂとスイッチ３１ｃとを備える。スイッチ３１ｂが閉成され、スイッチ３１ｃが開放されると、入力される階調電圧はアンプ３１ａによりインピーダンス変換され、高速にドレイン線容量７５が駆動（充電／放電）される（アンプ駆動）。スイッチ３１ｂが開放され、スイッチ３１ｃが閉成されると、階調電圧がそのまま出力され、ＬＣＤ容量７３を駆動する（ＳＷ駆動）。駆動回路３２…３ｎは、駆動回路３１と同じ構成、動作であり、他の画素素子を駆動する。
【０００７】
ＴＦＴパネル７０は、駆動信号ＳＲＣ１〜ＳＲＣｎが入力される。この駆動信号ＳＲＣ１〜ＳＲＣｎにより、１ライン分の画素素子が駆動される。１画素分の素子は、ＴＦＴ（Ｔｈｉｎ  Ｆｉｌｍ  Ｔｒａｎｓｉｓｔｏｒ：薄膜トランジスタ）７１と液晶７２とＬＣＤ容量７３とであらわすことができる。また、各駆動信号線には、ドレイン線容量７５が存在する。駆動信号ＳＲＣ１により電圧が印加されると、ドレイン線容量７５が充電／放電され、ＴＦＴ７１が選択されてＬＣＤ容量７３は充電／放電される。ＬＣＤ容量７３の電圧が安定したところでＴＦＴ７１はオフされ、ＬＣＤ容量７３は、その電圧を保持する。液晶７２は、その電圧に応じた階調で光を透過する。
【０００８】
ここで、階調電圧を生成する階調生成回路１１０を更に説明する。一般的に階調生成回路は、階調の基準となる幾つかの電圧を生成する階調基準電圧源と、生成された階調基準電圧をもとに直列抵抗により分圧して必要数の階調電圧を生成する分圧回路とを備える。階調基準電圧源は、特開平６−３４８２３５号公報に示されるように、ガンマカーブを可能とするために高抵抗によって分圧された複数の基準電圧から任意の設定値によって必要数を選択してアンプによってインピーダンス変換して出力する構造が一般的となっている。
【０００９】
階調生成回路１１０は、抵抗が直列に接続される抵抗群１２と、基準電圧ＶＨ−ＶＬ間を抵抗群１２により分圧された電圧を電力増幅するアンプ１１４ａ…１１４ｂと、アンプ１１４ａ…１１４ｂの出力電圧を更に分圧するように抵抗が直列に接続される抵抗群１５とを含む。ここでは、階調基準電圧源は、抵抗群１２とアンプ１１４ａ…１１４ｂ、分圧回路は抵抗群１５に対応する。抵抗群１５により分圧された電圧が、階調電圧Ｖ０〜Ｖ６３として階調選択回路２１、２２…２ｎに供給される。階調電圧Ｖ０〜Ｖ６３は、各電圧が、ガンマカーブとなるように、抵抗群１２と抵抗群１５の各抵抗値が決められ、アンプ１１４ａ…１１４ｂの利得が決められる。また、アンプ１１４ａ…１１４ｂの数は、階調の段階数によりガンマカーブを近似しやすいように決定される。
【００１０】
階調生成回路１１０は、通常表示時には常時オン状態となっている。したがって、基準電圧源内の各アンプ１１４ａ…１１４ｂとその出力に接続されている直列抵抗群１５に定電流が流れ、一定の電力が消費されることになる。
【００１１】
図２を参照してＬＣＤ駆動回路の動作を説明する。ＬＣＤ駆動回路は、水平方向に１ライン単位で画素素子を駆動し、画面を表示させている。この１ライン毎に画素素子を駆動する期間を１水平期間という。１水平期間内の動作は、表示する画像データにより選択される階調電圧をインピーダンス変換して高速でドレイン線容量を駆動するアンプ駆動と、階調電圧をそのまま出力してＬＣＤ容量を駆動するＳＷ駆動がある。アンプ駆動によって高速でドレイン線容量を充電した後、消費電力削減のために、ＳＷ駆動に切り替えてＬＣＤ容量の電圧が安定するまで駆動し続けるのが一般的な駆動回路動作である。
【００１２】
図２は、ある水平位置に配置される画素群に対する回路、例えば、階調選択回路２１、駆動回路３１の動作タイミングを示す。図２（ａ）は同期信号、（ｂ）はスイッチ３１ｂを駆動する信号、（ｃ）はスイッチ３１ｃを駆動する信号、（ｄ）は駆動信号ＳＲＣ１を示す。１水平期間は、同期信号（ａ）が活性化するところから開始される。同期信号により、表示されるデータが設定され、スイッチ３１ｂを駆動する信号（ｂ）が活性化する。同期信号（ａ）が活性化してからスイッチ３１ｂを駆動する信号（ｂ）が活性化するまでの間、駆動回路３１はＴＦＴパネル７０に対してハイインピーダンス状態であり、この期間をＨｉｚ期間とする。スイッチ３１ｂを駆動する信号（ｂ）が活性化すると、スイッチ３１ｂが閉成し、アンプ３１ａの出力が駆動信号ＳＲＣ１としてＴＦＴパネル７０を駆動する。このとき、ドレイン線容量７５、ＬＣＤ容量７３は急速に充電される。そのため、駆動信号ＳＲＣ１は、図２（ｄ）に示されるように、急速に立ち上がる。このアンプ３１ａにより駆動される期間をＡＭＰ駆動期間とする。アンプ３１ａによる駆動でドレイン線容量が充電されると、スイッチ３１ｂを駆動する信号（ｂ）は、非活性になりスイッチ３１ｂが開放され、スイッチ３１ｃを駆動する信号（ｃ）が活性化してスイッチ３１ｃが閉成される。スイッチ３１ｃが閉成されると、駆動回路３１に入力される階調電圧がそのまま出力され、ＬＣＤ容量を駆動する。この期間をＳＷ駆動期間とする。次の同期信号（ａ）が活性化するまでが１水平期間となる。次の同期信号により駆動される画素素子は、隣接するラインの素子である。アンプ３１ａが駆動しはじめてからスイッチ３１ｃが開放されるまでの期間、即ちＡＭＰ駆動期間からＳＷ駆動期間までをＬＣＤ安定化期間とする。
【００１３】
したがって、ＬＣＤ安定化期間は、ＬＣＤの駆動を始めてからＬＣＤ容量７３の電圧が安定するまでの期間であるから、ＳＷ駆動に切り替えてＬＣＤ容量７３の電圧が安定してしまえばＴＦＴ７１をオフしてＳＷ駆動を止めることが可能となる。ＬＣＤ容量７３の電圧を早く安定化させることによりＬＣＤ安定化期間を短縮することができる。ＬＣＤ安定化期間、即ち駆動回路３１の駆動時間が短縮され消費電力の低減となる。ＬＣＤ安定化期間が変わらないとすると、１水平期間を長くすることによっても消費電力を低減する効果が得られる。
【００１４】
即ち、ＬＣＤ駆動回路のチップ全体の消費電力削減のための１手段としてフレーム周波数を低下させることがある。駆動回路３１の動作電流は、フレーム周波数に比例する。そのため、フレーム周波数を低下させることにより大幅な低消費電力化が期待できる。従来の駆動方法では、フレーム周波数５０Ｈｚ以下では満足な画質が得られないためにこの手法は有効ではないが、フリッカに強く画質の劣化が起こりにくいドット反転駆動方式を採用する場合や、将来に液晶パネルの性能向上によってフレーム周波数低減による画質劣化が改善される場合には、特に有効な消費電力削減手法となる。
【００１５】
フレーム周波数の低減による低消費電力化は、駆動回路３１での低消費電力化として、前述の通りアンプ駆動とＳＷ駆動を切り替えてＬＣＤを駆動する方法により実現されている。また、特開平７−３２５５５６号公報に記載されているように、出力回路内に階調を生成する直列抵抗を持たせ、その入力側、出力側のスイッチを制御する、といった技術によっても実現されている。したがって、フレーム周波数の低減による更なる低消費電力化も可能である。
【００１６】
現在、階調電圧の基準電圧源は、階調生成回路（ガンマ回路）に内蔵される方式が一般的である。また、従来のガンマ制御方式においては、基準電圧源を含むガンマ回路は、常時活性化状態である。そのため、フレーム周波数の影響を受けず、一定の電力を消費する定電流回路である。したがって、駆動回路３１の消費電力がフレーム周波数の引き下げにより削減される分、全消費電力に占める階調生成回路１１０の消費電力の割合が大きくなっていく。即ち、ガンマ回路の消費電力が相対的に大きくなり、チップ全体の消費電力の大部分を占めるようになる。例えば、ＬＣＤ駆動回路全体に占める階調生成回路１１０の消費電力の割合は、フレーム周波数６０Ｈｚ時で４２．５％であったのに対し、３０Ｈｚ時で５９．７％、１５Ｈｚ時には７４．７％もの割合を占めることになる。このように、フレーム周波数を低下させることによる低消費電力化の効果は減少してしまう。
【００１７】
【特許文献１】特開平７−３２５５５６号公報
【特許文献２】特開平６−３４８２３５号公報
【発明の開示】
【発明が解決しようとする課題】
【００１８】
本発明の課題は、消費電力が低減される液晶表示装置の駆動回路を提供することである。
【課題を解決するための手段】
【００１９】
以下に、［発明を実施するための最良の形態］で使用される番号・符号を用いて、課題を解決するための手段を説明する。これらの番号・符号は、［特許請求の範囲］の記載と［発明を実施するための最良の形態］との対応関係を明らかにするために付加されたものである。ただし、それらの番号・符号を、［特許請求の範囲］に記載されている発明の技術的範囲の解釈に用いてはならない。
【００２０】
本発明の観点では、表示装置の駆動回路は、階調生成回路（１０／１１）と、複数の階調選択駆動回路（６１、６２…６ｎ）とを具備する。階調生成回路（１０／１１）は、表示データを表示装置（７０）に表示するときに階調を与える階調電圧を生成する。複数の階調選択駆動回路（６１、６２…６ｎ）は、階調生成回路（１０／１１）から出力される階調電圧から表示データに対応する電圧を選択して表示装置（７０）に供給する。このような階調生成回路（１０／１１）は、表示装置（７０）の１画素分のデータを駆動する時間に対応する１水平期間のうち所定の期間だけ階調電圧を生成し、１水平期間の他の期間は階調電圧を生成しない。
【００２１】
本発明の表示装置の駆動回路は、階調生成回路（１０／１１）が階調電圧を生成する期間を制御するガンマ制御回路（８３）をさらに具備する。ガンマ制御回路（８３）は、外部制御回路から入力されて表示を停止させるスタンバイ信号に応答して１水平期間を超えて階調電圧の生成を停止させるタイミングと、所定の期間のタイミングとを制御する。
【００２２】
本発明の表示装置の駆動回路において、ガンマ制御回路（８３）は、複数の階調選択駆動回路（６１、６２…６ｎ）が表示装置（７０）に電圧を供給する前から、複数の階調選択駆動回路（６１、６２…６ｎ）が表示装置（７０）に電圧供給を停止した後までを所定の期間として、階調生成回路に階調電圧を生成させる。
【００２３】
本発明の表示装置の駆動回路において、階調生成回路（１０／１１）は、複数の抵抗（１２）とアンプ（１４ａ…１４ｂ）とスイッチ（１６）とを備える。複数の抵抗（１２）は、基準電源電圧を分圧するために直列に接続される。アンプ（１４ａ…１４ｂ）は、複数の抵抗（１２）により分圧された電圧を電力増幅する。スイッチ（１６）は、基準電源電圧を供給する基準電源と複数の抵抗（１２）との間に設けられる。スイッチ（１６）が開放され、アンプ（１４ａ…１４ｂ）の出力端がハイインピーダンスになることにより、階調生成回路（１０／１１）は階調電圧の生成を停止する。
【００２４】
本発明の表示装置の駆動回路は、階調生成回路（１１）と複数の階調選択駆動回路（６１、６２…６ｎ、６ｄ）との間に設置される出力スイッチ（１８）をさらに具備する。出力スイッチ（１８）は、階調生成回路（１１）の出力と複数の階調選択駆動回路（６１、６２…６ｎ、６ｄ）の入力とを電気的に分断する。
【００２５】
本発明の表示装置の駆動回路において、階調生成回路（１１）が階調電圧の生成を停止する前に出力スイッチ（１８）が開放され、階調生成回路（１１）と複数の階調選択駆動回路（６１、６２…６ｎ）とが電気的に分断される。階調生成回路（１１）が階調電圧の生成を開始した後に出力スイッチ（１８）が閉成され、階調生成回路（１１）と複数の階調選択駆動回路（６１、６２…６ｎ）とが電気的に接続される。
【００２６】
本発明の表示装置の駆動回路において、複数の階調選択駆動回路（６１、６２…６ｎ）は、表示装置（７０）を駆動するバッファ（３１ａ）を有する。バッファ（３１ａ）の出力が高インピーダンス状態になると、出力スイッチ（１８）を開放する。
【００２７】
本発明の表示装置の駆動回路は、模擬負荷回路（９１）と電圧比較回路（９０）とをさらに具備する。模擬負荷回路（９０）は、表示装置（７０）の容量性負荷を模擬し、複数の階調選択回路のうちの１つ（６ｄ）により駆動され、容量性負荷の充放電状態を示す出力測定電圧を出力する。電圧比較回路（９０）は、出力測定電圧と階調電圧とを比較し、出力測定電圧が階調電圧に基づいて設定された閾値を越えて充放電されたことを検出して比較結果信号を出力する。階調生成回路（１０／１１）は、比較結果信号に基づいて階調電圧の生成を停止する。
【００２８】
本発明の他の観点では、表示装置の駆動回路は、階調生成回路（１０／１１）と、複数の階調選択駆動回路（６１、６２…６ｎ、６ｄ）と、模擬負荷回路（９１）と、電圧比較回路（９０）とを具備する。階調生成回路（１０／１１）は、表示データを表示装置（７０）に表示するときに階調を与える階調電圧を生成する。複数の階調選択駆動回路（６１、６２…６ｎ、６ｄ）は、階調生成回路（１０／１１）から出力される階調電圧から表示データに対応する電圧を選択して表示装置（７０）に供給する。模擬負荷回路（９１）は、表示装置（７０）の容量性負荷を模擬し、複数の階調選択回路のうちの１つ（６ｄ）により駆動され、容量性負荷の充放電状態を示す出力測定電圧を出力する。電圧比較回路（９０）は、出力測定電圧と階調電圧とを比較し、出力測定電圧が階調電圧に基づいて設定された閾値を越えて充放電されたことを検出して比較結果信号を出力する。階調生成回路（１０／１１）は、比較結果信号に基づいて階調電圧の生成を停止する。
【００２９】
また、本発明の他の観点では、表示装置の駆動方法は、階調生成ステップと階調選択駆動ステップとを具備する。階調生成ステップは、表示データを表示装置（７０）に表示するときに階調を与える階調電圧を生成する。階調選択駆動ステップは、階調生成ステップにより生成される階調電圧から表示データに対応する電圧を選択して表示装置（７０）に供給する。この階調生成ステップは、表示装置（７０）の１画素分のデータを駆動する時間に対応する１水平期間のうち所定の期間だけ階調電圧を生成し、１水平期間の他の期間は階調電圧を生成しない。
【００３０】
本発明の表示装置の駆動方法において、階調生成ステップは、スタンバイ停止ステップと、水平期間内ステップとを備える。スタンバイ停止ステップは、外部制御回路から入力されて表示を停止させるスタンバイ信号に応答して、１水平期間を超えて階調電圧の生成を停止する。水平期間内ステップは、水平期間内の所定の期間だけ階調電圧を生成する。
【００３１】
本発明の表示装置の駆動方法において、階調生成ステップは、階調選択駆動ステップが表示装置（７０）に電圧を供給する前に前記階調電圧を生成する。また、階調生成ステップは、階調選択駆動ステップが前記表示装置（７０）に電圧供給を停止した後に階調電圧の生成を停止する。
【００３２】
本発明の表示装置の駆動方法において、階調選択駆動ステップは、ハイインピーダンスステップとアンプ駆動ステップとを備える。ハイインピーダンスステップは、前記階調電圧が供給されるまで待機するステップである。アンプ駆動ステップは、階調電圧が供給されてから表示装置（７０）に供給する電圧が安定するまで表示装置（７０）を駆動するステップである。階調生成ステップは、アンプ駆動ステップが表示装置（７０）に電圧供給を停止した後、階調電圧の生成を停止する。
【００３３】
本発明の表示装置の駆動方法において、階調選択駆動ステップは、さらに、スイッチ駆動ステップを備える。スイッチ駆動ステップは、アンプ駆動ステップにより表示装置（７０）に供給する供給電圧が安定した後に供給電圧を維持するステップである。階調生成ステップは、スイッチ駆動ステップが電圧供給を停止した後、階調電圧の生成を停止する。
【００３４】
本発明の表示装置の駆動方法において、階調生成ステップは、分圧ステップと、増幅ステップと、切断ステップとを備える。分圧ステップは、基準電源電圧を分圧する。増幅ステップは、分圧ステップにより分圧された電圧を電力増幅する。切断ステップは、分圧ステップに供給される基準電源電圧の供給を停止する。階調生成ステップは、切断ステップにより基準電源電圧の供給が停止され、増幅ステップが電力増幅を停止することにより、階調電圧の生成を停止する。
【００３５】
本発明の表示装置の駆動方法は、さらに出力分断ステップを具備する。出力分断ステップは、階調生成ステップが階調電圧の生成を停止する前に階調生成ステップの出力と階調選択駆動ステップの入力とを電気的に分断する。また、出力分断ステップは、階調生成ステップが階調電圧の生成を開始した後に階調生成ステップの出力と階調選択駆動ステップの入力とを電気的に接続する。
【００３６】
本発明の表示装置の駆動方法は、模擬負荷ステップと電圧比較ステップとを具備する。模擬負荷ステップは、表示装置の容量性負荷を模擬し、階調選択ステップにより駆動され、容量性負荷の充放電状態を示す出力測定電圧を出力する。電圧比較ステップは、前記出力測定電圧と前記階調電圧とを比較し、出力測定電圧が階調電圧に基づいて設定された閾値を越えて充放電されたことを検出して比較結果を出力する。階調生成ステップは、この比較結果に基づいて階調電圧の生成を停止する。
【００３７】
さらに本発明の他の観点では、表示装置の駆動方法は、階調生成ステップと、階調選択駆動ステップと、模擬負荷ステップと、電圧比較ステップとを具備する。階調生成ステップは、表示データを表示装置（７０）に表示するときに階調を与える階調電圧を生成する。階調選択駆動ステップは、階調生成ステップにより生成される階調電圧から表示データに対応する電圧を選択して表示装置（７０）に供給する。模擬負荷ステップは、表示装置（７０）の容量性負荷を模擬するステップである。模擬負荷ステップは、階調選択ステップにより駆動されて容量性負荷の充放電状態を示す出力測定電圧を出力する。電圧比較ステップは、出力測定電圧と階調電圧とを比較し、出力測定電圧が階調電圧に基づいて設定された閾値を越えて充放電されたことを検出して比較結果を出力する。階調生成ステップは、この比較結果に基づいて階調電圧の生成を停止する。
【発明の効果】
【００３８】
本発明による低消費電力効果は、１水平期間内のガンマオフ期間の割合を大きくするほど効果を大きくすることができる。また、ＬＣＤ安定化期間はフレーム周波数によらず一定であるので、フレーム周波数が低いほどガンマ回路オフ期間を大きく取ることができる。結果、大幅な低消費電力化ができる。
【発明を実施するための最良の形態】
【００３９】
図３から図５を参照して第１の実施の形態を説明する。
【００４０】
図３は、ＬＣＤを駆動するＬＣＤ駆動回路の主要部のブロック図である。ＬＣＤ駆動回路は、ドット駆動部６１、６２…６ｎと、階調生成回路１０と、タイミングコントロール回路８１と、ガンマ制御回路８３と、出力制御回路８５と、レジスタ８７とを具備し、ＬＣＤのＴＦＴパネル７０を駆動する。
【００４１】
駆動信号ＳＲＣ１、ＳＲＣ２…ＳＲＣｎは、各々ドット駆動部６１、６２…６ｎから出力され、ＴＦＴパネル７０に入力される。出力制御信号８５から出力されるアンプ駆動信号ＡＭＰ＿ＯＮとスイッチ駆動信号ＳＷ＿ＯＮ、階調生成回路１０から出力される階調電圧Ｖ０〜Ｖ６３、タイミングコントロール回路８１から出力されるラッチタイミング信号Ｌは、ドット駆動部６１、６２…６ｎに入力される。また、表示データ信号Ｄ１、Ｄ２…Ｄｎは、図示されない外部回路から各々ドット駆動部６１、６２…６ｎに入力される。
【００４２】
ガンマ制御信号ＧＡＭＰ＿ＯＮは、ガンマ制御回路８３から出力され、階調生成回路１０に入力される。タイミング制御信号ＣＣは、タイミングコントロール回路８１から出力され、ガンマ制御回路８３と出力制御回路８５とに入力される。出力制御パラメータ信号ＰＳＯは、レジスタ８７から出力され、出力制御回路８５に入力される。また、ガンマ制御パラメータ信号ＰＳＧは、レジスタ８７からガンマ制御回路８３に入力される。さらに、外部制御回路（図示せず）からスタンバイ信号ＳＢがガンマ制御回路８３に入力される。
【００４３】
レジスタ８７は、出力制御回路８５とガンマ制御回路８３とから出力される信号のタイミングを決定するためのパラメータを保持する。出力制御回路８５から出力される信号に関するパラメータは、アンプ駆動信号ＡＭＰ＿ＯＮを活性化するタイミングを決定するＡＭＰ＿ＯＮ開始設定値、不活性にするタイミングを決定するＡＭＰ＿ＯＮ終了設定値、スイッチ駆動信号ＳＷ＿ＯＮを活性化するタイミングを決定するＳＷ＿ＯＮ開始設定値、不活性にするタイミングを決定するＳＷ＿ＯＮ終了設定値を含む。これらの設定値は、出力制御パラメータ信号ＰＳＯとして出力制御回路８５に出力される。
【００４４】
また、ガンマ制御回路８３から出力される信号に関するパラメータは、ガンマ制御信号ＧＡＭＰ＿ＯＮを活性化するタイミングを決定するＧＡＭＰ＿ＯＮ開始設定値、不活性にするタイミングを決定するＧＡＭＰ＿ＯＮ終了設定値を含む。これらの設定値は、ガンマ制御パラメータ信号ＰＳＧとしてガンマ制御回路８３に出力される。
【００４５】
タイミングコントロール回路８１は、図示されない外部回路から同期信号などを受信し、タイミング信号を生成する。表示データや走査信号に同期するクロック、クロックカウント信号を含むタイミング制御信号ＣＣをガンマ制御回路８３と出力制御回路８５とに出力し、ラッチタイミング信号をドット駆動部６１、６２…６ｎに出力する。
【００４６】
出力制御回路８５は、タイミングコントロール回路８１からタイミング制御信号ＣＣを、レジスタ８７から出力制御パラメータ信号ＰＳＯを入力し、アンプ駆動信号ＡＭＰ＿ＯＮとスイッチ駆動信号ＳＷ＿ＯＮを生成してドット駆動部６１、６２…６ｎに出力する。アンプ駆動信号ＡＭＰ＿ＯＮは、タイミング制御信号ＣＣに基づいて、出力制御パラメータ信号ＰＳＯに含まれるＡＭＰ＿ＯＮ開始設定値により指示されるタイミングで活性化され、ＡＭＰ＿ＯＮ終了設定値により指示されるタイミングで不活性化される。スイッチ駆動信号ＳＷ＿ＯＮは、タイミング制御信号ＣＣに基づいて、出力制御パラメータ信号ＰＳＯに含まれるＳＷ＿ＯＮ開始設定値により指示されるタイミングで活性化され、ＳＷ＿ＯＮ終了設定値により指示されるタイミングで不活性化される。
【００４７】
ガンマ制御回路８３は、外部の制御回路（図示せず）からスタンバイ信号ＳＢを、タイミングコントロール回路８１からタイミング制御信号ＣＣを、レジスタ８７からガンマ制御パラメータ信号ＰＳＧ入力し、ガンマ制御信号ＧＡＭＰ＿ＯＮを生成して階調生成回路１０に出力する。ガンマ制御信号ＧＡＭＰ＿ＯＮは、タイミング制御信号ＣＣに基づいて、ガンマ制御パラメータ信号ＰＳＧに含まれるＧＡＭＰ＿ＯＮ開始設定値により指示されるタイミングで活性化され、ＧＡＭＰ＿ＯＮ終了設定値により指示されるタイミングで不活性化される。
【００４８】
従来からスタンバイ信号ＳＢは、ＬＣＤを搭載する装置がスタンバイ状態になった時に生成される。したがって、スタンバイ状態は、長時間に渡り継続することになる。このスタンバイ状態では表示が必要ないため、階調生成回路１０は停止状態にされ、消費電力を低減する構成になっていることが多い。このように構成される回路を利用することにより、表示装置の駆動回路は大きな変更をすることなく、本発明を実施することが可能となる。即ち、スタンバイ信号により階調生成回路１０を停止させる回路を、１水平期間内での階調生成回路１０の停止にも利用することにより、従来回路のタイミング制御を変更するだけでさらに消費電力の低減が可能となる。
【００４９】
階調生成回路１０は、ガンマ制御回路８３からガンマ制御信号ＧＡＭＰ＿ＯＮを入力し、階調電圧Ｖ０〜Ｖ６３を生成してドット駆動部６１、６２…６ｎに出力する。ガンマ制御信号ＧＡＭＰ＿ＯＮが活性化している時、階調生成回路１０は、通常動作を行い、ガンマ制御信号ＧＡＭＰ＿ＯＮが不活性になると休止状態（オフ状態）になる。階調生成回路１０を休止状態にすることによって消費電力が低減される。
【００５０】
ドット駆動部６１は、ラッチ回路５１とレベルシフタ４１、階調選択回路２１、駆動回路３１を備える。外部回路（図示せず）から入力される１ドット分の表示データ信号Ｄ１は、タイミングコントロール回路８１から入力されるラッチタイミング信号Ｌに指示されるタイミングでラッチ回路５１に保持される。ラッチ回路５１にラッチされたデータは、階調選択回路２１のスイッチを駆動できるようにレベルシフタ４１によりレベル変換される。階調選択回路２１は、階調生成回路１０から入力される階調電圧Ｖ０〜Ｖ６３のうち、ラッチ回路５１にラッチされたデータにより示される階調に該当する階調電圧を選択する。駆動回路３１は、出力制御回路８５から入力されるアンプ駆動信号ＡＭＰ＿ＯＮ、スイッチ駆動信号ＳＷ＿ＯＮに基づいて、階調選択回路２１により選択される階調電圧で駆動信号ＳＲＣ１を出力する。ドット駆動部６２…６ｎは、ドット駆動部６１と同じ構成であり、他のドットを駆動する駆動信号ＳＲＣ２…ＳＲＣｎを出力する。
【００５１】
図４は、階調電圧Ｖ０〜Ｖ６３が生成され、ＴＦＴパネル７０に伝達される経路を説明する図である。ＬＣＤのＴＦＴパネル７０を駆動する主要部は、階調生成回路１０と、階調選択回路２１、２２…２ｎと、駆動回路３１、３２…３ｎとを備える。ｎは水平方向１ラインの画素素子数を示す。
【００５２】
階調生成回路１０は、抵抗が直列に接続される抵抗群１２と、基準電圧ＶＨ−ＶＬを抵抗群１２に供給／切断するスイッチ１６と、基準電圧ＶＨ−ＶＬ間を抵抗群１２により分圧した電圧を電力増幅するアンプ１４ａ…１４ｂと、アンプ１４ａ…１４ｂの出力電圧を更に分圧するように抵抗が直列に接続される抵抗群１５とを含む。
【００５３】
抵抗群１２は、基準電圧ＶＨ−ＶＬ間にスイッチ１６を介して接続される。アンプ１４ａ…１４ｂは、抵抗群１２により分圧された基準電圧を入力し、振幅調整及び電力増幅された信号を抵抗群１５に出力する。抵抗群１５は、アンプ１４ａ…１４ｂの出力電圧を更に分圧して階調電圧Ｖ０〜Ｖ６３を生成し、階調配線に出力する。階調電圧Ｖ０〜Ｖ６３は、階調配線により各階調選択回路２１、２２…２ｎに供給される。
【００５４】
スイッチ１６は、ガンマ制御回路８３から出力されるガンマ制御信号ＧＡＭＰ＿ＯＮによりオン／オフが制御される。ガンマ制御信号ＧＡＭＰ＿ＯＮが活性化すると、スイッチ１６は基準電圧ＶＨ−ＶＬを抵抗群１２の両端に印加する。ガンマ制御信号ＧＡＭＰ＿ＯＮが不活性化すると、スイッチ１６は開放され、基準電圧ＶＨ−ＶＬの抵抗群１２への印加は停止される。したがって、抵抗群１２に流れる電流は無くなり、電力消費は減少する。
【００５５】
また、アンプ１４ａ…１４ｂもガンマ制御信号ＧＡＭＰ＿ＯＮにより制御される。アンプ１４ａ…１４ｂは、ガンマ制御信号ＧＡＭＰ＿ＯＮが活性化するとバッファとして機能し、入力される電圧を抵抗群１５に供給する。ガンマ制御信号ＧＡＭＰ＿ＯＮが不活性化すると、アンプ１４ａ…１４ｂは、ハイインピーダンス状態となって抵抗群１５に対する電圧の供給を停止する。したがって、アンプ１４ａ…１４ｂから抵抗群１５には電流が流れなくなり、電力消費は減少する。
【００５６】
階調選択回路２１は、表示データＤ１に基づいて選択されるスイッチ群を含む。表示データＤ１の階調値に該当するスイッチが閉成し、階調電圧Ｖ０〜Ｖ６３のうち該当する階調電圧が、階調選択回路２１から駆動回路３１に選択階調信号ＳＬ１として出力される。階調選択回路２２…２ｎは、階調選択回路２１と同じ構成、動作であり、他の画素素子の階調電圧を選択する。
【００５７】
駆動回路３１は、入力される階調電圧でＴＦＴパネル７０の画素素子を駆動する。この駆動信号をＳＲＣ１とする。駆動回路３１は、アンプ３１ａとスイッチ３１ｂとスイッチ３１ｃとを備える。スイッチ３１ｂは、出力制御回路８５から出力されるアンプ駆動信号ＡＭＰ＿ＯＮにより制御される。アンプ駆動信号ＡＭＰ＿ＯＮが活性化すると、スイッチ３１ｂは、閉成してアンプ３１ａの出力を伝達する。スイッチ３１ｃは、出力制御回路８５から出力されるスイッチ駆動信号ＳＷ＿ＯＮにより制御される。スイッチ駆動信号ＳＷ＿ＯＮが活性化すると、スイッチ３１ｃは閉成され、階調選択回路２１から出力される選択階調信号ＳＬ１をそのまま出力する。
【００５８】
したがって、スイッチ３１ｂが閉成され、スイッチ３１ｃが開放されると、アンプ３１ａは入力される選択階調信号ＳＬ１をインピーダンス変換して高速でドレイン線容量を駆動する（アンプ駆動）。スイッチ３１ｂが開放され、スイッチ３１ｃが閉成されると、選択階調信号ＳＬ１がそのまま出力され、ＬＣＤ容量を駆動する（ＳＷ駆動）。駆動回路３２…３ｎは、駆動回路３１と同じ構成、動作であり、他の画素素子を駆動する。
【００５９】
ＴＦＴパネル７０は、駆動信号ＳＲＣ１〜ＳＲＣｎが入力される。この駆動信号ＳＲＣ１〜ＳＲＣｎにより、１ライン分の画素素子が駆動される。１画素分の素子は、ＴＦＴ（Ｔｈｉｎ  Ｆｉｌｍ  Ｔｒａｎｓｉｓｔｏｒ：薄膜トランジスタ）７１と液晶７２とＬＣＤ容量７３とであらわすことができる。また、各駆動信号線には、ドレイン線容量７５が存在する。駆動信号ＳＲＣ１により電圧が印加されると、ドレイン容量７５が充電／放電され、ＴＦＴ７１が選択されてＬＣＤ容量７３は充電／放電される。ＬＣＤ容量７３の電圧が安定したところでＴＦＴ７１はオフされ、ＬＣＤ容量７３はその電圧を保持する。液晶７２は、その電圧に応じた階調で光を透過する。このように、ＬＣＤ容量７３が液晶７２に印加する電圧を保持するため、ＴＦＴ７１がオフになると駆動回路３１により駆動されなくてもよいことが解る。即ち、スイッチ３１ｂおよびスイッチ３１ｃを介して階調電圧Ｖ０〜Ｖ６３を供給する時間を短縮することが可能である。さらに、スイッチ３１ｃを介して階調電圧を供給するＳＷ駆動を行わなくても液晶７２の駆動が可能である。
【００６０】
図５を参照して第１の実施の形態におけるＬＣＤ駆動回路の動作を説明する。ＬＣＤ駆動回路は、水平方向に１ライン単位で画素素子を駆動し、画面を表示させている。この１ライン毎に画素素子を駆動する期間を１水平期間という。１水平期間内の動作は、表示する画像データにより選択される階調電圧をインピーダンス変換して高速でドレイン線容量を駆動するアンプ駆動と、階調電圧をそのまま出力してＬＣＤ容量を駆動するＳＷ駆動がある。アンプ駆動によって高速でドレイン線容量を充電した後、消費電力削減のために、ＳＷ駆動に切り替えてＬＣＤ容量の電圧が安定するまで駆動し続けるのが一般的な駆動回路動作である。
【００６１】
図５は、ある水平位置に配置される画素群に対する回路、例えば、階調選択回路２１、駆動回路３１の動作タイミングを示す。図５（ａ）は、タイミングコントロール回路８１から出力されるタイミング制御信号ＣＣのうちクロック信号の波形状態を示す。各クロック区間に付された符号は、タイミング制御信号ＣＣにより伝達されるクロックカウントを示す。図５（ｂ）は、外部制御回路から供給されるスタンバイ信号ＳＢを示す。図５（ｃ）は、タイミングコントロール回路８１から出力されるラッチタイミング信号Ｌを示す。図５（ｄ）は、出力制御回路８５から出力され、スイッチ３１ｂを駆動するアンプ駆動信号ＡＭＰ＿ＯＮを示す。図５（ｅ）は、出力制御回路８５から出力され、スイッチ３１ｃを駆動するスイッチ駆動信号ＳＷ＿ＯＮを示す。図５（ｆ）は、駆動回路３１の出力である駆動信号ＳＲＣ１を示す。図５（ｇ）は、ガンマ制御回路８３から出力されるガンマ制御信号ＧＡＭＰ＿ＯＮを示す。図５（ｈ）は、階調電圧Ｖ０〜Ｖ６３を重畳表示させたものを示す。
【００６２】
アンプ駆動信号ＡＭＰ＿ＯＮ（ｄ）は、出力制御回路８５において、レジスタ８７に格納されるＡＭＰ＿ＯＮ開始設定値、ＡＭＰ＿ＯＮ終了設定値に基づいて、クロックｔ２において活性化、クロックｔ５において不活性化される。スイッチ駆動信号ＳＷ＿ＯＮ（ｅ）は、出力制御回路８５において、レジスタ８７に格納されるＳＷ＿ＯＮ開始設定値、ＳＷ＿ＯＮ終了設定値に基づいて、クロックｔ５において活性化、クロックｔ１４において不活性化される。ガンマ制御信号ＧＡＭＰ＿ＯＮ（ｇ）は、ガンマ制御回路８３において、レジスタ８７に格納されるＧＡＭＰ＿ＯＮ開始設定値、ＧＡＭＰ＿ＯＮ終了設定値に基づいて、クロックｔ１４において不活性化、クロックｔ２８において活性化される。
【００６３】
外部制御回路から供給されるスタンバイ信号ＳＢ（ｂ）が不活性となる時点からＬＣＤ駆動回路は表示する動作を開始する。１水平期間は、ラッチタイミング信号Ｌ（ｃ）が活性化して表示データＤ１がラッチ回路５１に保持されるところから開始されるものとする（クロックｔ０）。
【００６４】
ラッチ回路５１に保持される表示データがレベルシフトされて階調選択回路２１のスイッチを駆動し、その出力である選択階調信号ＳＬ１が安定すると、アンプ駆動信号ＡＭＰ＿ＯＮ（ｄ）が活性化する（クロックｔ２）。アンプ駆動信号ＡＭＰ＿ＯＮによりスイッチ３１ｂが閉成されると、アンプ３１ａは、ドレイン線容量７５、及びＴＦＴ７１を介してＬＣＤ容量７３を充電する。充電が進むにつれ駆動信号ＳＲＣ１（ｆ）は最終的に選択階調信号ＳＬ１の電圧に近づいていき、安定する（クロックｔ２〜ｔ５）。
【００６５】
クロックｔ５において、アンプ駆動信号ＡＭＰ＿ＯＮ（ｄ）が不活性化してスイッチ３１ｂが開放され、スイッチ駆動信号ＳＷ＿ＯＮ（ｅ）が活性化してスイッチ３１ｃが閉成される。
【００６６】
ＬＣＤ容量７３が十分に充電されてＴＦＴ７１がオフされると、ＬＣＤ容量７３により電圧が保持されるため、階調電圧の供給は必要なくなる。したがって、スイッチ駆動信号ＳＷ＿ＯＮ（ｅ）は不活性になり、スイッチ３１ｃは開放される（クロックｔ１４）。同時にガンマ制御信号ＧＡＭＰ＿ＯＮ（ｇ）が不活性となって階調生成回路１０は、オフ状態となる。階調生成回路１０に定常的に流れる電流を減少させることができ、消費電力は減少する。ここで、スイッチ駆動信号ＳＷ＿ＯＮ（ｅ）の不活性時期とガンマ制御信号ＧＡＭＰ＿ＯＮ（ｇ）の不活性時期は、同時である必要はなく、ガンマ制御信号ＧＡＭＰ＿ＯＮ（ｇ）の不活性時期が後になってもよい。
【００６７】
一方、階調電圧Ｖ０〜Ｖ６３を各階調選択回路２１、２２…２ｎに伝達する階調配線は、寄生容量Ｃｓを有している。また、全ての階調配線は抵抗群１５を介して接続されている。そのため、アンプ１４ａ…１４ｂの出力がハイインピーダンス状態になると、各階調配線の寄生容量Ｃｓに充電されている電荷が抵抗群１５を介して移動し、全ての階調配線の電圧は等しくなる。即ち、図５（ｈ）に示されるように、クロックｔ１４においてガンマ制御信号ＧＡＭＰ＿ＯＮが不活性になり、アンプ１４ａ…１４ｂの出力がハイインピーダンス状態になると、階調電圧Ｖ０〜Ｖ６３は、一定の電圧に収束する。
【００６８】
この状態から再びアンプ１４ａ…１４ｂ及びスイッチ１６をオン状態にすると、全階調配線の寄生容量Ｃｓが充電されて階調配線の電圧が各々階調電圧Ｖ０〜Ｖ６３になるまでにある程度の時間が必要となる。そのため、階調電圧Ｖ０〜Ｖ６３が安定して供給されなければならないクロックｔ２の充分以前、例えばクロックｔ２８においてガンマ制御信号ＧＡＭＰ＿ＯＮを活性化し、アンプ１４ａ…１４ｂの出力により階調配線の寄生容量Ｃｓを充電する。
【００６９】
このように、アンプ１４ａ…１４ｂ、スイッチ１６をガンマ制御信号ＧＡＭＰ＿ＯＮにより制御すると階調生成回路１０における消費電力を削減することが可能となる。
【００７０】
図６を参照して第２の実施の形態を説明する。第１の実施の形態において説明したように、アンプ１４ａ…１４ｂの出力をハイインピーダンス状態にすると、階調配線に寄生する寄生容量Ｃｓに充電された電荷が抵抗群１５を介して移動する。そのため、駆動回路３１を活性化（第１の実施の形態においてはアンプ３１ａをオンする）前に階調配線の寄生容量Ｃｓを所定の階調電圧まで充電する時間を要する。第２の実施の形態は、この寄生容量Ｃｓを充電する時間を短縮するものである。
【００７１】
図６は、図４に示される階調生成回路１０に代わる階調生成回路１１の構成を示す。階調生成回路１１は、階調生成回路１０にスイッチ１８を加えた構成になっている。即ち、階調生成回路１１は、抵抗が直列に接続される抵抗群１２と、基準電圧ＶＨ−ＶＬを抵抗群１２に供給／切断するスイッチ１６と、基準電圧ＶＨ−ＶＬ間を抵抗群１２により分圧した電圧を電力増幅するアンプ１４ａ…１４ｂと、アンプ１４ａ…１４ｂの出力電圧を更に分圧するように抵抗が直列に接続される抵抗群１５と、抵抗群１５と階調配線を分断するスイッチ１８を含む。
【００７２】
抵抗群１２は、基準電圧ＶＨ−ＶＬ間にスイッチ１６を介して接続される。アンプ１４ａ…１４ｂは、抵抗群１２により分圧された基準電圧を入力し、振幅調整及び電力増幅された信号を抵抗群１５に出力する。抵抗群１５は、アンプ１４ａ…１４ｂの出力電圧を更に分圧して階調電圧Ｖ０〜Ｖ６３を生成し、スイッチ１８を介して階調配線に出力する。
【００７３】
スイッチ１６は、ガンマ制御回路８３から出力されるガンマ制御信号ＧＡＭＰ＿ＯＮによりオン／オフが制御される。ガンマ制御信号ＧＡＭＰ＿ＯＮが活性化すると、スイッチ１６は閉成され、基準電圧ＶＨ−ＶＬを抵抗群１２の両端に印加する。ガンマ制御信号ＧＡＭＰ＿ＯＮが不活性化すると、スイッチ１６は開放され、基準電圧ＶＨ−ＶＬの抵抗群１２への印加は停止される。したがって、抵抗群１２に流れる電流は無くなり、電力消費は減少する。
【００７４】
また、アンプ１４ａ…１４ｂもガンマ制御信号ＧＡＭＰ＿ＯＮにより制御される。アンプ１４ａ…１４ｂは、ガンマ制御信号ＧＡＭＰ＿ＯＮが活性化するとバッファとして機能し、入力される電圧を抵抗群１５に供給する。ガンマ制御信号ＧＡＭＰ＿ＯＮが不活性化すると、アンプ１４ａ…１４ｂは、ハイインピーダンス状態となって抵抗群１５に対する電圧の供給を停止する。したがって、アンプ１４ａ…１４ｂから抵抗群１５には電流が流れなくなり、電力消費は減少する。
【００７５】
スイッチ１８は、ガンマ制御回路８３から出力されるガンマスイッチ制御信号ＧＳＷ＿ＯＮによりオン／オフが制御される。ガンマスイッチ制御信号ＧＳＷ＿ＯＮが活性化すると、スイッチ１８は閉成され、抵抗群１５により分圧された電圧を階調電圧Ｖ０〜Ｖ６３として出力する。ガンマスイッチ制御信号ＧＳＷ＿ＯＮが不活性化すると、スイッチ１８は開放され、抵抗群１５と階調配線とは電気的に分断される。したがって、異なる電圧を持つ階調配線間は分離され、寄生容量Ｃｓから電荷の移動はない。即ち、階調配線間の電圧は維持されることになる。
【００７６】
次に階調電圧Ｖ０〜Ｖ６３を階調配線に供給を開始する時は、抵抗群１５の電圧を安定化するだけでよく、アンプ１４ａ…１４ｂをオンすると速やかに電圧が安定する。その後、ガンマスイッチ制御信号ＧＳＷ＿ＯＮを活性化してスイッチ１８を閉成すると、階調配線は階調電圧をほぼ維持しているため、寄生容量Ｃｓを充電する時間は無視することができる。この一連のスイッチ制御を行うことで、より階調生成回路１１のオフ期間を長くすることができるようになり、低消費電力化の効果を更に高めることができる。
【００７７】
この階調生成回路１１を、図３、図４の階調生成回路１０に代えて搭載するために、ガンマ制御回路８３は、スイッチ１８を制御するガンマスイッチ制御信号ＧＳＷ＿ＯＮを生成する。また、レジスタ８７は、ガンマ制御回路８３がガンマスイッチ制御信号ＧＳＷ＿ＯＮを生成するためのパラメータを有し、ガンマ制御パラメータ信号ＰＳＧに出力する。その他のＬＣＤ駆動回路は、図３に示される構成と同じでよい。
【００７８】
このようにＬＣＤ駆動回路を構成することにより、階調配線の寄生容量Ｃｓを充電する時間を短縮することができ、階調生成回路１１のオフ期間を長くすることができるようになる。即ち、低消費電力化の効果を更に高めることができる。
【００７９】
階調生成回路１１を搭載するＬＣＤ駆動回路の動作について、図７を参照し、ある水平位置に配置される画素群に対するの動作タイミングを説明する。図７（ａ）は、タイミングコントロール回路８１から出力されるタイミング制御信号ＣＣのうちクロック信号の波形状態を示す。各クロック区間に付された符号は、タイミング制御信号ＣＣにより伝達されるクロックカウントを示す。図７（ｂ）は、外部制御回路から供給されるスタンバイ信号ＳＢを示す。図７（ｃ）は、タイミングコントロール回路８１から出力されるラッチタイミング信号Ｌを示す。図７（ｄ）は、出力制御回路８５から出力され、スイッチ３１ｂを駆動するアンプ駆動信号ＡＭＰ＿ＯＮを示す。図７（ｅ）は、出力制御回路８５から出力され、スイッチ３１ｃを駆動するスイッチ駆動信号ＳＷ＿ＯＮを示す。図７（ｆ）は、駆動回路３１の出力である駆動信号ＳＲＣ１を示す。図７（ｇ）は、ガンマ制御回路８３から出力されるガンマ制御信号ＧＡＭＰ＿ＯＮを示す。図７（ｈ）は、ガンマ制御回路８３から出力されるガンマスイッチ制御信号ＧＳＷ＿ＯＮを示す。図７（ｉ）は、抵抗群１５の各ノードの電圧を重畳表示させたものを示す。
【００８０】
まず、外部制御回路から供給されるスタンバイ信号ＳＢ（ｂ）が不活性となる時点からＬＣＤ駆動回路は表示する動作を開始する。１水平期間は、ラッチタイミング信号Ｌ（ｃ）が活性化して表示データＤ１がラッチ回路５１に保持されるところから開始されるものとする（クロックｔ０）。
【００８１】
ガンマ制御信号ＧＡＭＰ＿ＯＮ（ｇ）は、ガンマ制御回路８３により、レジスタ８７に格納されるＧＡＭＰ＿ＯＮ開始設定値に基づいて、クロックｔ１において活性化される。階調電圧Ｖ０〜Ｖ６３を安定させるため、アンプ駆動信号ＡＭＰ＿ＯＮ（ｄ）の活性化に先駆けて、ガンマ制御信号ＧＡＭＰ＿ＯＮ（ｇ）が活性化される。アンプ１４ａ…１４ｂは駆動状態になり、抵抗群１５の各ノードの電圧は、図７（ｉ）に示されるように、各電圧に分化する。
【００８２】
クロックｔ２において、抵抗群１５の各ノードの電圧が安定した状態でガンマ制御回路８３は、レジスタ８７に格納されるＧＳＷ＿ＯＮ開始設定値に基づいて、ガンマスイッチ制御信号ＧＳＷ＿ＯＮ（ｈ）を活性化する。ガンマスイッチ制御信号ＧＳＷ＿ＯＮ（ｈ）の活性化により、スイッチ１８が閉成され、階調生成回路１１から階調電圧Ｖ０〜Ｖ６３が出力される。一方、ラッチ回路５１に保持される表示データがレベルシフトされて階調選択回路２１のスイッチを駆動する。階調電圧Ｖ０〜Ｖ６３から階調選択回路２１のスイッチにより選択された選択階調信号ＳＬ１が階調選択回路２１から出力される。
【００８３】
また、クロックｔ２において、アンプ駆動信号ＡＭＰ＿ＯＮ（ｄ）は、出力制御回路８５により、レジスタ８７に格納されるＡＭＰ＿ＯＮ開始設定値に基づいて活性化される。アンプ駆動信号ＡＭＰ＿ＯＮ（ｄ）が活性化し、スイッチ３１ｂが閉成される。アンプ３１ａは、駆動信号ＳＲＣ１を駆動して、ドレイン線容量７５、及びＴＦＴ７１を介してＬＣＤ容量７３を充電する。充電が進むにつれ駆動信号ＳＲＣ１は最終的に選択階調信号ＳＬ１の電圧に近づいていく（図７（ｆ））。
【００８４】
クロックｔ５において、アンプ駆動信号ＡＭＰ＿ＯＮ（ｄ）は、出力制御回路８５により、レジスタ８７に格納されるＡＭＰ＿ＯＮ終了設定値に基づいて不活性化される。アンプ駆動信号ＡＭＰ＿ＯＮ（ｄ）の不活性化によりスイッチ３１ｂが開放される。また、スイッチ駆動信号ＳＷ＿ＯＮ（ｅ）は、出力制御回路８５により、レジスタ８７に格納されるＳＷ＿ＯＮ開始設定値に基づいて活性化不活性化される。スイッチ駆動信号ＳＷ＿ＯＮ（ｅ）の活性化によりスイッチ３１ｃが閉成され、スイッチ駆動に切り替わる。
【００８５】
ＬＣＤ容量７３が十分に充電されてＴＦＴ７１がオフされると、スイッチ駆動信号ＳＷ＿ＯＮ（ｅ）は、出力制御回路８５により、レジスタ８７に格納されるＳＷ＿ＯＮ終了設定値に基づいて、クロックｔ１４において不活性化される。スイッチ駆動信号ＳＷ＿ＯＮ（ｅ）の不活性化により、スイッチ３１ｃは開放される。
【００８６】
同時、或いは少し遅れて、ガンマスイッチ制御信号ＧＳＷ＿ＯＮ（ｈ）は、ガンマ制御回路８３により、レジスタ８７に格納されるＧＳＷ＿ＯＮ終了設定値に基づいて、クロックｔ１５において不活性化される。ガンマスイッチ制御信号ＧＳＷ＿ＯＮの不活性化によりスイッチ１８は、開放され、抵抗群１５と階調配線とを分断する。
【００８７】
抵抗群１５と階調配線とが分断されたクロックｔ１５において、ガンマ制御信号ＧＡＭＰ＿ＯＮ（ｇ）は、ガンマ制御回路８３により、レジスタ８７に格納されるＧＡＭＰ＿ＯＮ終了設定値に基づいて不活性化される。ガンマ制御信号ＧＡＭＰ＿ＯＮ（ｇ）の不活性化により、階調生成回路１１はオフ状態となる。すなわち、アンプ１４ａ…１４ｂはハイインピーダンス状態になり、スイッチ１６が開放されて、抵抗群１２に基準電圧は供給されなくなる。したがって、階調生成回路１１に定常的に流れる電流を減少させることができ、消費電力は減少する。
【００８８】
階調生成回路１１は、次の表示データを駆動するクロックｔ１まで休止状態となる。すなわち、クロックｔ１５からクロックｔ１の間が階調生成回路１１の休止期間であり、この場合、１水平期間３０クロック中、１６クロックが休止状態になっている。第１の実施の形態では、階調生成回路１０の休止期間は、１４クロックであり、さらに短縮化できたことがわかる。これらの期間は、階調配線の寄生容量Ｃｓ、階調配線の抵抗値、抵抗群１５の抵抗値などの状況により変動する。
【００８９】
このように、スイッチ１８を設け、階調生成回路１１と階調配線とを分断することによりさらに階調生成回路１１における消費電力を削減することが可能となる。
【００９０】
次に図８と図９とを参照して第３の実施の形態を説明する。第３の実施の形態は、ＴＦＴパネル７０を模擬する模擬負荷回路を有するＬＣＤ駆動回路である。
【００９１】
図８は、ＬＣＤを駆動するＬＣＤ駆動回路の主要部のブロック図である。ＬＣＤ駆動回路は、ドット駆動部６１、６２…６ｎと、階調生成回路１１と、タイミングコントロール回路８１と、ガンマ制御回路８４と、出力制御回路８６と、レジスタ８８とを具備し、ＬＣＤのＴＦＴパネル７０を駆動する。さらに、模擬負荷回路９１と、模擬負荷回路９１を駆動するドット駆動部６ｄと電圧比較回路９０とを具備する。
【００９２】
各々ドット駆動部６１、６２…６ｎから出力される駆動信号ＳＲＣ１、ＳＲＣ２…ＳＲＣｎは、ＴＦＴパネル７０に入力される。また、ドット駆動部６ｄから出力される駆動信号ＳＲＣｄは、模擬負荷回路９１に入力される。出力制御信号８６から出力されるアンプ駆動信号ＡＭＰ＿ＯＮとスイッチ駆動信号ＳＷ＿ＯＮ、階調生成回路１１から出力される階調電圧Ｖ０〜Ｖ６３、タイミングコントロール回路８１から出力されるラッチタイミング信号Ｌは、ドット駆動部６１、６２…６ｎ、６ｄに入力される。また、表示データ信号Ｄ１、Ｄ２…Ｄｎ、Ｄｄは、図示されない外部回路から各々ドット駆動部６１、６２…６ｎ、６ｄに入力される。ドット駆動部６ｄに入力される表示データ信号Ｄｄは、予め定められたデータが固定的に入力されてもよい。
【００９３】
ガンマ制御信号ＧＡＭＰ＿ＯＮとガンマスイッチ制御信号ＧＳＷ＿ＯＮは、ガンマ制御回路８４から出力され、階調生成回路１１に入力される。タイミング制御信号ＣＣは、タイミングコントロール回路８１から出力され、ガンマ制御回路８４と出力制御回路８６とに入力される。出力制御パラメータ信号ＰＳＯは、レジスタ８８から出力され、出力制御回路８６に入力される。また、ガンマ制御パラメータ信号ＰＳＧは、レジスタ８８からガンマ制御回路８４に入力される。さらに、外部制御回路（図示せず）からスタンバイ信号ＳＢがガンマ制御回路８４に入力される。
【００９４】
模擬負荷回路９１から出力される出力測定電圧Ｖｄｍｙと、階調生成回路１１から出力される階調電圧Ｖ０〜Ｖ６３のうち１つ、或いは所定の本数の比較電圧線Ｖｒｅｆとは、電圧比較回路９０に入力される。電圧比較回路９０から出力される比較結果信号Ｖｕｐは、ガンマ制御回路８４と出力制御回路８６とに入力される。
【００９５】
レジスタ８８は、出力制御回路８６とガンマ制御回路８４とから出力される信号のタイミングを決定するためのパラメータを保持する。出力制御回路８６から出力される信号に関するパラメータは、アンプ駆動信号ＡＭＰ＿ＯＮを活性化するタイミングを決定するＡＭＰ＿ＯＮ開始設定値、不活性にするタイミングを決定するＡＭＰ＿ＯＮ終了設定値、スイッチ駆動信号ＳＷ＿ＯＮを活性化するタイミングを決定するＳＷ＿ＯＮ開始設定値、不活性にするタイミングを決定するＳＷ＿ＯＮ余剰クロック設定値を含む。これらの設定値は、出力制御パラメータ信号ＰＳＯとして出力制御回路８６に出力される。
【００９６】
ガンマ制御回路８４から出力される信号に関するパラメータは、ガンマ制御信号ＧＡＭＰ＿ＯＮを活性化するタイミングを決定するＧＡＭＰ＿ＯＮ開始設定値、不活性にするタイミングを決定するＧＡＭＰ＿ＯＮ余剰クロック設定値、ガンマスイッチ制御信号ＧＳＷ＿ＯＮを活性化するタイミングを決定するＧＳＷ＿ＯＮ開始設定値、不活性にするタイミングを決定するＧＳＷ＿ＯＮ余剰クロック設定値を含む。これらの設定値は、ガンマ制御パラメータ信号ＰＳＧとしてガンマ制御回路８４に出力される。
【００９７】
タイミングコントロール回路８１は、図示されない外部回路から同期信号などを受信し、タイミング信号を生成する。表示データや走査信号に同期するクロック、クロックカウント信号を含むタイミング制御信号ＣＣをガンマ制御回路８４と出力制御回路８６とに出力し、ラッチタイミング信号をドット駆動部６１、６２…６ｎ、６ｄに出力する。
【００９８】
出力制御回路８６は、タイミングコントロール回路８１からタイミング制御信号ＣＣを、レジスタ８８から出力制御パラメータ信号ＰＳＯを入力し、アンプ駆動信号ＡＭＰ＿ＯＮとスイッチ駆動信号ＳＷ＿ＯＮを生成してドット駆動部６１、６２…６ｎ、６ｄに出力する。アンプ駆動信号ＡＭＰ＿ＯＮは、タイミング制御信号ＣＣに基づいて、出力制御パラメータ信号ＰＳＯに含まれるＡＭＰ＿ＯＮ開始設定値により指示されるタイミングで活性化され、ＡＭＰ＿ＯＮ終了設定値により指示されるタイミングで不活性化される。スイッチ駆動信号ＳＷ＿ＯＮは、タイミング制御信号ＣＣに基づいて、出力制御パラメータ信号ＰＳＯに含まれるＳＷ＿ＯＮ開始設定値により指示されるタイミングで活性化され、ＳＷ＿ＯＮ余剰クロック設定値（Ｃｓｗ）により指示されるタイミングで不活性化される。
【００９９】
ガンマ制御回路８４は、外部の制御回路（図示せず）からスタンバイ信号ＳＢを、タイミングコントロール回路８１からタイミング制御信号ＣＣを、レジスタ８８からガンマ制御パラメータ信号ＰＳＧ入力し、ガンマ制御信号ＧＡＭＰ＿ＯＮとガンマスイッチ制御信号ＧＳＷ＿ＯＮとを生成して階調生成回路１１に出力する。ガンマ制御信号ＧＡＭＰ＿ＯＮは、タイミング制御信号ＣＣに基づいて、ガンマ制御パラメータ信号ＰＳＧに含まれるＧＡＭＰ＿ＯＮ開始設定値により指示されるタイミングで活性化され、ＧＡＭＰ＿ＯＮ余剰クロック設定値（Ｃｇａｍｐ）により指示されるタイミングで不活性化される。ガンマスイッチ制御信号ＧＳＷ＿ＯＮは、タイミング制御信号ＣＣに基づいて、ガンマ制御パラメータ信号ＰＳＧに含まれるＧＳＷ＿ＯＮ開始設定値により指示されるタイミングで活性化され、ＧＳＷ＿ＯＮ余剰クロック設定値（Ｃｇｓｗ）により指示されるタイミングで不活性化される。
【０１００】
階調生成回路１１は、ガンマ制御回路８４からガンマ制御信号ＧＡＭＰ＿ＯＮとガンマスイッチ制御信号ＧＳＷ＿ＯＮとを入力し、階調電圧Ｖ０〜Ｖ６３を生成してドット駆動部６１、６２…６ｎ、６ｄに出力する。ガンマ制御信号ＧＡＭＰ＿ＯＮが活性化している時、階調生成回路１１は、通常動作を行い、ガンマ制御信号ＧＡＭＰ＿ＯＮが不活性になると休止状態（オフ状態）になる。階調生成回路１０を休止状態にすることによって消費電力が低減される。ガンマスイッチ制御信号ＧＳＷ＿ＯＮが活性化しているとき、階調生成回路１１は、階調配線を介してドット駆動部６１、６２…６ｎ、６ｄに階調電圧Ｖ０〜Ｖ６３を出力する。ガンマスイッチ制御信号ＧＳＷ＿ＯＮが不活性になると、階調生成回路１１と階調配線とは電気的に分断される。
【０１０１】
ドット駆動部６１は、ラッチ回路５１とレベルシフタ４１、階調選択回路２１、駆動回路３１を備える。外部回路（図示せず）から入力される１ドット分の表示データ信号Ｄ１は、タイミングコントロール回路８１から入力されるラッチタイミング信号Ｌに指示されるタイミングでラッチ回路５１に保持される。ラッチ回路５１にラッチされたデータは、階調選択回路２１のスイッチを駆動できるようにレベルシフタ４１によりレベル変換される。階調選択回路２１は、階調生成回路１０から入力される階調電圧Ｖ０〜Ｖ６３のうち、ラッチ回路５１にラッチされたデータにより示される階調に該当する階調電圧を選択する。駆動回路３１は、出力制御回路８５から入力されるアンプ駆動信号ＡＭＰ＿ＯＮ、スイッチ駆動信号ＳＷ＿ＯＮに基づいて、階調選択回路２１により選択される階調電圧で駆動信号ＳＲＣ１を出力する。ドット駆動部６２…６ｎ、６ｄは、ドット駆動部６１と同じ構成であり、他のドットを駆動する駆動信号ＳＲＣ２…ＳＲＣｎ、ＳＲＣｄを出力する。
【０１０２】
模擬負荷回路９１は、ＴＦＴパネル７０の１セル分を模擬する回路である。ＴＦＴパネル７０は、容量性の負荷として模擬できるため、ここではコンデンサ９３と抵抗９５により模擬する。ドット駆動部６ｄから出力される駆動信号ＳＲＣｄは、抵抗９５に入力され、抵抗９５の他端は、コンデンサ９３に接続される。コンデンサ９３の他端は、共通電極に接続される。抵抗９５とコンデンサ９３との接続点の電圧を模擬負荷回路９１の出力とし、出力測定電圧Ｖｄｍｙが電圧比較回路９０に出力される。即ち、模擬負荷回路９１は、ＴＦＴパネル７０のドレイン線容量ＣｄとＬＣＤ容量とに電荷が充電されていく状態を模擬する。
【０１０３】
電圧比較回路９０は、模擬負荷回路９１により模擬されるＴＦＴパネル７０への充電状態を、充電する目標電圧である階調電圧と比較して検出する回路である。電圧比較回路９０は、模擬する模擬負荷回路９１から出力される出力測定電圧Ｖｄｍｙと、階調生成回路１１から出力される階調電圧Ｖ０〜Ｖ６３のうち１乃至数本の基準電圧Ｖｒｅｆとを入力し、比較結果信号Ｖｕｐを出力する。駆動信号ＳＲＣｄの電圧に対して模擬負荷回路９１の出力電圧が所定の電圧を越えたか否かを検出するため、駆動信号ＳＲＣｄは、階調電圧Ｖ０〜Ｖ６３のうち充電に最も時間を要する電圧を選択するのが好ましい。例えば、駆動信号ＳＲＣｄとしてフレーム（または、１水平期間）毎に階調電圧Ｖ０とＶ６３とを交互に印加する。即ち、階調の最低のデータと最高のデータが交互に入力されて、表示されるように動作させる。新しいデータが入力されるたびに充電／放電が繰り返され、その充電／放電の状態が模擬負荷回路９１から出力測定電圧Ｖｄｍｙとして明確に出力される。
【０１０４】
この出力測定電圧Ｖｄｍｙが所定の電圧範囲になったことを検出するために、比較基準となる電圧を階調生成回路１１から入力する。その信号をＶｒｅｆとする。この基準電圧Ｖｒｅｆは、充電／放電する目標電圧を与える方法がある。その場合、出力測定電圧Ｖｄｍｙは充電／放電する目標電圧に向かって電圧が変化するがその目標電圧を超えることは無い。したがって、その目標電圧から±αの電圧を閾値ＶＴとして、Ｖｄｍｙと比較する。または、充電／放電する目標電圧の1段階低い或いは高い階調電圧をＶｒｅｆとして入力し、その電圧を閾値ＶＴとしてもよい。
【０１０５】
出力測定電圧Ｖｄｍｙが閾値ＶＴを超えて充電／放電したことを示す電圧比較回路９０の出力信号Ｖｕｐは、出力制御回路８６とガンマ制御回路８４に入力される。出力制御回路８６は、この比較結果信号Ｖｕｐを基準とし、タイミング制御信号ＣＣに基づいてスイッチ駆動信号ＳＷ＿ＯＮを不活性にする時期を決定する。ガンマ制御回路８４は、比較結果信号Ｖｕｐを基準とし、タイミング制御信号ＣＣに基づいてガンマ制御信号ＧＡＭＰ＿ＯＮと、ガンマスイッチ制御信号ＧＳＷ＿ＯＮとを不活性にする時期を決定する。
【０１０６】
ここで、図８に示される構成では、模擬負荷回路９１は、ＴＦＴパネル７０の外部の回路として説明したが、擬似負荷回路９１は、ＴＦＴパネル７０内にあってもよい。その場合、ＴＦＴパネルまでの配線の容量等も模擬することが可能となり、より精度の高いシミュレートができる。
【０１０７】
模擬負荷回路９１を有するＬＣＤ駆動回路の動作について図９を参照して、ある水平位置に配置される画素群に対するの動作タイミングを説明する。図９（ａ）は、タイミングコントロール回路８１から出力されるタイミング制御信号ＣＣのうちクロック信号の波形状態を示す。各クロック区間に付された符号は、タイミング制御信号ＣＣにより伝達されるクロックカウントを示す。図９（ｂ）は、外部制御回路から供給されるスタンバイ信号ＳＢを示す。図９（ｃ）は、タイミングコントロール回路８１から出力されるラッチタイミング信号Ｌを示す。図９（ｄ）は、出力制御回路８６から出力され、スイッチ３１ｂを駆動するアンプ駆動信号ＡＭＰ＿ＯＮを示す。図９（ｅ）は、出力制御回路８６から出力され、スイッチ３１ｃを駆動するスイッチ駆動信号ＳＷ＿ＯＮを示す。図９（ｆ）は、駆動回路３１の出力である駆動信号ＳＲＣ１を示す。図９（ｇ）は、ガンマ制御回路８４から出力されるガンマ制御信号ＧＡＭＰ＿ＯＮを示す。図９（ｈ）は、ガンマ制御回路８４から出力されるガンマスイッチ制御信号ＧＳＷ＿ＯＮを示す。図９（ｉ）は、擬似負荷回路９１の出力である出力測定電圧Ｖｄｍｙを示す。図９（ｊ）は、電圧比較回路９０の出力である比較結果信号Ｖｕｐを示す。
【０１０８】
まず、外部制御回路から供給されるスタンバイ信号ＳＢ（ｂ）が不活性となる時点からＬＣＤ駆動回路は表示する動作を開始する。１水平期間は、ラッチタイミング信号Ｌ（ｃ）が活性化して表示データＤ１がラッチ回路５１に保持されるところから開始されるものとする（クロックｔ０）。
【０１０９】
ガンマ制御信号ＧＡＭＰ＿ＯＮ（ｇ）は、ガンマ制御回路８４により、レジスタ８８に格納されるＧＡＭＰ＿ＯＮ開始設定値に基づいて、クロックｔ１において活性化される。階調電圧Ｖ０〜Ｖ６３を安定させるため、アンプ駆動信号ＡＭＰ＿ＯＮ（ｄ）の活性化に先駆けて、ガンマ制御信号ＧＡＭＰ＿ＯＮ（ｇ）が活性化される。アンプ１４ａ…１４ｂは駆動状態になり、抵抗群１５の各ノードの電圧は、各電圧に分化する。
【０１１０】
抵抗群１５の各ノードの電圧が安定した状態になるクロックｔ２において、ガンマスイッチ制御信号ＧＳＷ＿ＯＮ（ｈ）は、ガンマ制御回路８４により、レジスタ８８に格納されるＧＳＷ＿ＯＮ開始設定値に基づいて、活性化される。ガンマスイッチ制御信号ＧＳＷ＿ＯＮ（ｈ）の活性化により、スイッチ１８が閉成され、階調生成回路１１から階調電圧Ｖ０〜Ｖ６３が出力される。一方、ラッチ回路５１に保持される表示データがレベルシフトされて階調選択回路２１のスイッチを駆動する。階調電圧Ｖ０〜Ｖ６３から階調選択回路２１のスイッチにより選択された選択階調信号ＳＬ１が階調選択回路２１から出力される。
【０１１１】
また、クロックｔ２において、アンプ駆動信号ＡＭＰ＿ＯＮ（ｄ）は、出力制御回路８６により、レジスタ８８に格納されるＡＭＰ＿ＯＮ開始設定値に基づいて活性化される。アンプ駆動信号ＡＭＰ＿ＯＮ（ｄ）が活性化し、スイッチ３１ｂが閉成される。アンプ３１ａは、駆動信号ＳＲＣ１を駆動して、ドレイン線容量７５、及びＴＦＴ７１を介してＬＣＤ容量７３を充電する。充電が進むにしたがって駆動信号ＳＲＣ１は最終的に選択階調信号ＳＬ１の電圧に近づいていく（図９（ｆ））。このとき、模擬負荷回路９１にも駆動信号ＳＲＣｄが入力され、充電が開始される（図９（ｉ））。
【０１１２】
クロックｔ５において、アンプ駆動信号ＡＭＰ＿ＯＮ（ｄ）は、出力制御回路８６により、レジスタ８８に格納されるＡＭＰ＿ＯＮ終了設定値に基づいて不活性化される。アンプ駆動信号ＡＭＰ＿ＯＮ（ｄ）の不活性化によりスイッチ３１ｂが開放される。また、スイッチ駆動信号ＳＷ＿ＯＮ（ｅ）は、出力制御回路８６により、レジスタ８８に格納されるＳＷ＿ＯＮ開始設定値に基づいて、活性化される。スイッチ駆動信号ＳＷ＿ＯＮ（ｅ）の活性化によりスイッチ３１ｃが閉成され、スイッチ駆動に切り替わる。
【０１１３】
ＬＣＤ容量７３が十分に充電されてＴＦＴ７１がオフされ、模擬負荷回路９１の充電も充分に進み、出力測定電圧Ｖｄｍｙ（ｉ）が閾値ＶＴ（Ｖｒｅｆ）を越えると、比較結果信号Ｖｕｐ（ｊ）が活性化する。この比較結果信号Ｖｕｐの活性化をトリガとして出力制御回路８６とガンマ制御回路８４は、各制御信号の不活性化タイミングをカウントする。
【０１１４】
比較結果信号Ｖｕｐの活性化後、クロック信号がレジスタ８８に格納されるＳＷ＿ＯＮ余剰クロック設定値分（Ｃｓｗ）だけカウントされるクロックｔ１４において、スイッチ駆動信号ＳＷ＿ＯＮ（ｅ）は、出力制御回路８６により不活性化される。スイッチ駆動信号ＳＷ＿ＯＮの不活性化によりスイッチ３１ｃは開放される。
【０１１５】
同様に、比較結果信号Ｖｕｐの活性化後、クロック信号がレジスタ８８に格納されるＧＳＷ＿ＯＮ余剰クロック設定値分（Ｃｇｓｗ）だけカウントされるクロックｔ１４において、ガンマスイッチ制御信号ＧＳＷ＿ＯＮ（ｈ）は、ガンマ制御回路８４により不活性化される。ガンマスイッチ制御信号ＧＳＷ＿ＯＮの不活性化によりスイッチ１８はオフされ、抵抗群１５と階調配線とを分断する。
【０１１６】
さらに、比較結果信号Ｖｕｐの活性化後、クロック信号がレジスタ８８に格納されるＧＡＭＰ＿ＯＮ余剰クロック設定値分（Ｃａｍｐ）だけカウントされ、クロックｔ１５において、ガンマ制御信号ＧＡＭＰ＿ＯＮ（ｇ）は、ガンマ制御回路８４により不活性化される。ガンマ制御信号ＧＡＭＰ＿ＯＮの不活性化により、階調生成回路１１は、オフ状態となる。すなわち、アンプ１４ａ…１４ｂはハイインピーダンス状態になり、スイッチ１６が開放されて、抵抗群１２に基準電圧は供給されなくなる。したがって、階調生成回路１１に定常的に流れる電流を減少させることができ、消費電力は減少する。
【０１１７】
このように、模擬負荷回路９１を設けることにより、ＴＦＴパネル７０が駆動される状態を模擬することができる。これにより、ドット駆動部６１、６２…６ｎの駆動能力を観測することが可能となる。この模擬負荷回路９１の充放電状態を観測することにより、製造バラツキなどによる駆動能力の補正、或いは、周囲環境による駆動能力への影響の補正をすることが可能となる。
【図面の簡単な説明】
【０１１８】
【図１】従来のＬＣＤ駆動回路の主要部を示す図である。
【図２】従来のＬＣＤ駆動回路の動作を説明するタイミング図である。
【図３】本発明の第1の実施の形態に係るＬＣＤ駆動回路の主要部のブロック図である。
【図４】本発明の第1の実施の形態に係る階調電圧の生成伝達経路を説明する図である。
【図５】本発明の第1の実施の形態に係るＬＣＤ駆動回路の動作を説明する図である。
【図６】本発明の第2の実施の形態に係る階調生成回路を示す図である。
【図７】本発明の第２の実施の形態に係るＬＣＤ駆動回路の動作を説明する図である。
【図８】本発明の第３の実施の形態に係るＬＣＤ駆動回路の主要部のブロック図である。
【図９】本発明の第３の実施の形態に係るＬＣＤ駆動回路の動作を説明する図である。
【符号の説明】
【０１１９】
１０、１１  階調生成回路
１２  抵抗群
１５  抵抗群
１６  スイッチ
１８  スイッチ
２１、２２…２ｎ  階調選択回路
３１、３２…３ｎ  駆動回路
３１ａ  アンプ
３１ｂ  スイッチ
３１ｃ  スイッチ
４１  レベルシフタ
５１  ラッチ回路
６１、６２…６ｎ、６ｄ  ドット駆動部
７０  ＴＦＴパネル
７１  ＴＦＴ
７２  液晶
７３  ＬＣＤ容量
７５  ドレイン線容量
８１  タイミングコントロール回路
８３、８４  ガンマ制御回路
８５、８６  出力制御回路
８７、８８  レジスタ
９０  電圧比較回路
９１  擬似負荷回路
９３  コンデンサ
９５  抵抗
１１０  階調生成回路
１１４ａ…１１４ｂ  アンプ
【図１】
2006126471.tif 000003
【図２】
2006126471.tif 000004
【図３】
2006126471.tif 000005
【図４】
2006126471.tif 000006
【図５】
2006126471.tif 000007
【図６】
2006126471.tif 000008
【図７】
2006126471.tif 000009
【図８】
2006126471.tif 000010
【図９】
2006126471.tif 000011